(57)【特許請求の範囲】
【請求項１】
高額紙幣と低額紙幣の双方を収容する一つのスタッカと、
紙幣投入口から投入された前記高額紙幣および前記低額紙幣を前記スタッカへ搬送し、あるいは途中から前記紙幣投入口へ返却搬送する紙幣搬送路からなる紙幣搬送手段と、
前記紙幣搬送路の途中に介在され、搬送される紙幣の真偽を判別する紙幣識別手段と、
前記紙幣投入口と前記紙幣識別手段との間に配設され、前記紙幣搬送手段により返却搬送される低額紙幣を一枚収容する予備紙幣収容部とを少なくとも有し、
釣り銭として低額紙幣を払い出す際に、前記予備紙幣収容部に予め収容された前記一枚の低額紙幣を前記紙幣搬送手段を介し前記紙幣投入口へ払い出すようにしたことを特徴とする紙幣処理装置。
【請求項２】
前記紙幣搬送路には、低額紙幣を前記予備紙幣収容部内へ収容し、また該予備紙幣収容部内に収容された低額紙幣を前記紙幣搬送路へ搬出させる釣り札搬送手段と、前記紙幣搬送手段により返却搬送された前記低額紙幣を前記予備紙幣収容部内と前記紙幣投入口のいずれか一方へ切り替えて案内する通路切り替え手段とが介在されていることを特徴とする請求項１に記載の紙幣処理装置。
【請求項３】
前記紙幣処理装置は、前記スタッカを配設した装置本体と該装置本体の正面を覆うフロントパネルとを有し、前記予備紙幣収容部、前記釣り札搬送手段、および前記通路切り替え手段は前記フロントパネル内に配設されていることを特長とする請求項２に記載の紙幣処理装置。
【請求項４】
前記釣り札搬送手段は、低額紙幣を把持して搬送する釣り札搬送ローラ及び従動ローラと前記釣り札搬送ローラを駆動するモータからなり、前記通路切り替え手段は、ソレノイドにより昇降するアームと該昇降するアームにより軸を中心に回動して通路を切り替えるゲートレバーとからなることを特徴する請求項３に記載の紙幣処理装置。
【請求項５】
前記低額紙幣は千円札であり、前記高額紙幣は二千円札であることを特徴とする請求項（１）記載の紙幣処理装置。
【発明の詳細な説明】
【０００１】
【発明の属する技術分野】
この発明は、投入紙幣の真偽を判別するとともに、真券とみなされた紙幣を装置本体内に配設されたスタッカ内へ収容する紙幣処理装置に関し、特に、釣り銭として紙幣を払い出すようにした紙幣処理装置に関する。
【０００２】
【従来の技術】
従来から紙幣と硬貨の双方を取り扱うことのできる自動販売機等の機器内には、投入紙幣の真偽を判別するとともに、真券とみなされた紙幣を装置本体内に収容する紙幣処理装置と、投入硬貨の真偽と金種とを判別し、真券と見なされた硬貨を装置本体内あるいは別に設置された金庫内に収容する硬貨処理装置とが配設されている。
【０００３】
このうち紙幣処理装置では、紙幣投入口から投入された紙幣を、紙幣搬送ベルトあるいは複数の紙幣搬送ローラ等の紙幣搬送手段を介して搬送し、その後、真券と見なされた投入紙幣を紙幣収容手段を介してスタッカ内に蓄積収容するようにしている。
【０００４】
なお、投入紙幣は上述した紙幣搬送手段により搬送される間に、光センサー、磁気センサー等の各種の紙幣判別手段によってその真偽と金種とが判別され、当該投入紙幣が真券と判断されると、その紙幣はそのまま装置本体内に配設されたスタッカ内に蓄積収容され、また偽券と判断されると、その紙幣は紙幣投入口へ返却される。
【０００５】
なお、上述した紙幣処理装置と硬貨処理装置とが並設された自動販売機において、硬貨処理装置内には、予め釣り銭として払出すための複数枚の硬貨が収容されており、紙幣処理装置に投入された紙幣の金額が商品購入の際の取引金額より大きい場合には、釣り銭を上述した硬貨処理装置内から硬貨で払い出すようにしている。
【０００６】
一方、近年では二千円札の発行に伴い、二千円札と千円札の双方を同一のスタッカ内に収容することのできる紙幣処理装置も提案されている。
【０００７】
なお、一般的な清涼飲料水用等の自動販売機内において、その自動販売機の設置スペース及び自動販売機内の商品収容効率向上等の観点から、上述した紙幣処理装置の大きさ及び設置スペースは著しく制限されている。
【０００８】
従って、紙幣処理装置は自動販売機の狭い設置スペース内に配設されることから特に小型である必要があり、そのため上述した複数種類の紙幣を取り扱うことのできる紙幣処理装置では釣り銭として紙幣を払出す機能はなく、このため釣り銭は、自動販売機内に並設された硬貨処理装置のみから硬貨で払出すようにしている。
【０００９】
なお、従来から高額紙幣と低額紙幣の二種類の紙幣を取り扱い、釣り銭として低額紙幣を払出すことができる紙幣処理装置も提案され、現に実施されてはいるが、その形状は極めて大きく、そのため設置スペースおよび商品収容スペース確保等の観点からその大きさおよび形状が限られている上述した清涼飲料水用等の自動販売機内には使用されていないのが現状である。
【００１０】
即ち、このような紙幣払い出し機能を有する従来の紙幣処理装置は、低額紙幣と高額紙幣をそれぞれ独立して収容するための複数個のスタッカ、投入された高額紙幣と低額紙幣をそれぞれ対応する各スタッカ内に振り分け収容するための振り分け収容装置、および釣り銭として低額紙幣を対応するスタッカ内から引き出して払出すための払出し装置等の各種の装置が必要で、これらの要素をその内部に設置することにより上述した紙幣払い出し機能を有する従来の紙幣処理装置は必然的にその形状が大型となり、前述したように清涼飲料水用等の自動販売機内には使用されていないのが現状である。
【００１１】
【発明が解決しようとする課題】
ところで、上述したように、釣り銭として低額紙幣の払出し機能はないが、高額と低額の二種類の紙幣を取り扱うことのできる従来の紙幣処理装置を使用した自動販売機では、高額紙幣が投入された場合に払い出す釣り銭は、低額紙幣が投入された場合と同様に、すべて並設された硬貨処理装置内から硬貨で払うようにしているから、釣り銭として払出す硬貨の需要枚数が大幅に増大する傾向にある。
【００１２】
これに対し、自動販売機内に並設された硬貨処理装置の硬貨収容枚数には限界があり、このため高額紙幣が頻繁に投入されると、釣り銭として払出す硬貨の枚数が増え、短期間で釣り銭不足が発生する。
【００１３】
このように硬貨処理装置の釣り銭不足が発生すると、その後に投入される紙幣の受入れを中止せざるを得ないから、これにより商品の販売チャンスを減少させてしまうという問題が発生する。
【００１４】
なお、こような問題に対処するため、従来より、自動販売機等の機器側で紙幣処理装置の高額紙幣の受入れを制限（禁止）し、これにより釣り銭不足を可及的に防止しているが、このように高額紙幣の受入れを制限すると、当然のことながら紙幣処理装置では実質的に二種類の紙幣を処理することはできず、たとえば自動販売機の利用者が高額紙幣のみを所持している場合には、利用者は当該高額紙幣を投入して商品を購入することができないから、取引きを断念せざるを得ず、これにより販売チャンスを減少させてしまうという問題が発生する。
【００１５】
この発明は、上述した事情に鑑み、釣り銭となる紙幣を簡易的に払い出すことができる小型の紙幣処理装置を提供することを目的とする。
【００１６】
【課題を解決するための手段】
上述した課題を解決するため、この発明の紙幣処理装置では、高額紙幣と低額紙幣の双方を収容する一つのスタッカと、紙幣投入口から投入された前記高額紙幣および前記低額紙幣を前記スタッカへ搬送し、あるいは途中から前記紙幣投入口へ返却搬送する紙幣搬送路からなる紙幣搬送手段と、前記紙幣搬送路の途中に介在され、搬送される紙幣の真偽を判別する紙幣識別手段と、前記紙幣投入口と前記紙幣識別手段との間に配設され、前記紙幣搬送手段により返却搬送される低額紙幣を一枚収容する予備紙幣収容部とを少なくとも有し、釣り銭として低額紙幣を払い出す際に、前記予備紙幣収容部に予め収容された前記一枚の低額紙幣を前記紙幣搬送手段を介し前記紙幣投入口へ払い出すようにしている。
【００１７】
【発明の実施の形態】
以下、この発明に係る紙幣処理装置の一実施例を詳述する。
【００１８】
図１は、この発明に係る紙幣処理装置１の概念断面図である。
【００１９】
この紙幣処理装置１は、紙幣投入口２から投入された紙幣Ｘを案内する紙幣案内手段３と、案内された紙幣Ｘを収容する一つのスタッカ５５とを具えている。
このうち、紙幣案内手段３は、紙幣投入口２に連通する第一の紙幣搬送路４と、該第一の紙幣搬送路４の終端から分岐され、逆Ｕ字形状に形成された第二の紙幣搬送路５と下方へ伸びる第三の紙幣搬送路６とから構成されている。
【００２０】
なお、この第一の紙幣搬送路４の途中には、紙幣投入口２から投入された紙幣を検出する入口センサ１０が配設されている。なお、上述した第一乃至第三の紙幣搬送路４、５、６により本願発明に係わる紙幣搬送路が構成される。
【００２１】
上述した各紙幣搬送路のうち、第一の紙幣搬送路４の終端には通路切り替え手段１１が配設されている。
【００２２】
この通路切り替え手段１１は、ソレノイド１２と、該ソレノイド１２のプランジャに固着されたアーム１３と、該アーム１３の先端部に形成されたコの字形状の凹部に突起１４ｂを介し係合し、かつ軸１４ａを中心に回動自在に支承されたゲートレバー１４とから構成されている。なお上述した突起１４ｂはゲートレバー１４の側方に突設されている。
【００２３】
このような構成の通路切り替え手段１１によると、図１の要部概念拡大図で示す図２のように、ソレノイド１２がＯＦＦした初期状態では、アーム１３は下動し、それによりゲートレバー１４は軸１４ａを中心に時計方向へ回転するから、第一の紙幣搬送路４の終端が解放されて、該第一の紙幣搬送路４と第二の紙幣搬送路５とが連通し、また上述したゲートレバー１４により第三の紙幣搬送路６の上端が閉塞される。
【００２４】
一方、図２と同一部分を同一符号で示す図３のように、ソレノイド１２をＯＮすると、アーム１３はソレノイド１２のプランジャとともに上動するので、該アーム１３の先端部に突起１４ｂを介し係合するゲートレバー１４の先端は軸１４ａを中心に反時計方向へ回動し、これにより第一の紙幣搬送路３の終端を閉塞するとともに、第三の紙幣搬送路６の上端を解放して該第三の紙幣搬送路６と第二の紙幣搬送路５とを連通させる。
【００２５】
また、ソレノイド１２を再びＯＦＦにすると、図１で示すようにアーム１３がソレノイド１２のプランジャとともに下動し、該アーム１３の先端部に突起１４ｂを介し係合するゲートレバー１４の先端は軸１４ａを中心に時計方向へ回動しするので、これにより、ゲートレバー１４が第一の紙幣搬送路４の終端を解放して該第一の紙幣搬送路４を第二の紙幣搬送路５に連通させ、かつ第三の紙幣搬送路６の上端を閉塞して初期状態に復帰する。
【００２６】
一方、図１で示す逆Ｕ字形状の第二の紙幣搬送路５には、紙幣搬送手段２１が配設されている。
【００２７】
この紙幣搬送手段２１は、第二の紙幣搬送路５に沿って張設された紙幣搬送ベルト２２と、紙幣搬送ベルト２２をガイドする従動ローラ２３、２４、２６と、駆動プーリ２５を駆動するモータ２７とから構成されている。
【００２８】
また、第二の紙幣搬送路５の途中には、当該第二の紙幣搬送路５を開閉するシャッター手段３１、および通過する紙幣Ｘの真偽と金種とを判別する弊識別手段である識別センサ３５、および紙幣Ｘの通過を検出するセンサ３６等が配設されている。
【００２９】
このうちのシャッター手段３１は、第二の紙幣搬送路５に出没自在なシャッターレバー３２と、該シャッターレバー３２を駆動するシャッターソレノイド３３から構成されている。
【００３０】
また、シャッター手段３１の下流に配設され識別センサ３５は、発光素子および受光素子からなる光センサ、および磁気センサー等から構成されている。
【００３１】
また上述したセンサ３６は、軸を介し回動自在に支承されたレバー３６ａからなり、このレバー３６ａの先端は第二の紙幣搬送路５に向け突出している。
【００３２】
なお、このセンサ３６では、紙幣Ｘの先端がレバー３６ａを通過すると、紙幣Ｘの先端がレバー３６ａの先端を押圧して、該レバー３６ａの先端を軸を中心として反時計方向へ回転させるので、この回転を検出することにより紙幣Ｘの先端の通過が検知される。また、紙幣Ｘの後端がレバー３６ａを通過すると、レバー３６ａの先端が時計方向に回転して初期位置に復帰するから、この回転を検出することにより紙幣Ｘの後端の通過が検知される。
【００３３】
また、上述したセンサ３６の下流に延設された第二の紙幣搬送路５の終端には、紙幣Ｘの幅方向の両端をそれぞれ嵌挿し、当該紙幣Ｘを前記第二の紙幣搬送路５の下流に沿って案内するガイド溝４１ａが形成された紙幣案内部材４１が配設されている。
【００３４】
また、この紙幣案内部材４１に隣接した位置には、ガイドされた紙幣Ｘを、スタッカ５５へ平行移動させる紙幣収容手段５１が配設されている。
【００３５】
この紙幣収容手段５１は、紙幣案内部材４１内に案内された紙幣Ｘの略中央を押圧する押圧板５２と、押圧板５２を支承し該押圧板５２をカム機構５３を介し図面の左右へ平行移動させるパンタグラフ状のリンク機構５４とから構成されている。
【００３６】
一方、前記第三の紙幣搬送路６の上流には釣り札搬送手段６１が配設されている。
【００３７】
この釣り札搬送手段６１は、釣り札搬送ローラ６２と、該釣り札搬送ローラ６２に伝達ギヤ６３を介し駆動力を与えるモータ６４とから構成されている。
なお、上述した釣り札搬送ローラ６２には従動ローラ６５が圧接している。
【００３８】
また、この第三の紙幣搬送路６の終端は、釣銭として払い出す千円札（図７）Ａを一枚だけ予め退避させて収容する予備紙幣収容部７１となっている。
【００３９】
この予備紙幣収容部７１内には千円札Ａが収容されたか否かを検出する図示せぬ予備紙幣検出センサが配設されている。なおこの予備紙幣検出センサは、発光素子および受光素子からなる光センサ等から構成されている。
【００４０】
なお、上述した予備紙幣収容部７１は、装置本体１ａの正面を覆うフロントパネル１ｂ内の下方に形成され、また、上記釣り札搬送手段６１および通路切り替え手段１１は、上述したフロントパネル１ｂに着脱自在に装着されるフロントカバー１ｃ内に配設されている。
【００４１】
このことは、従来からデッドスペースとして取り扱われていた装置本体１ａの正面とフロントパネル１ｂとの間に、上述した各構成要素（予備紙幣収容部７１、釣り札搬送手段６１、通路切り替え手段１１）を配設して、このデッドスペースを有効に利用し、これにより新たな構成要素が付加されても紙幣処理装置１全体の形状が大きくならないことを意味している。
【００４２】
なお、前記入口センサ１０は前記センサ３６と略同一構造をしている。
【００４３】
一方、図１のスタッカ５５は千円札Ａ及び二千円札Ｂの双方、即ち異なった種類の紙幣を同一のスタッカ内に収容するもので、第二の紙幣搬送路５の終端側方に配設され、該第二の紙幣搬送路５の終端を挟んで押圧板５２と対向するように配設されている。
【００４４】
次に上述した紙幣処理装置１の作用を説明する。
【００４５】
図１で示すこの紙幣処理装置１の初期状態では、通路切り替え手段１１のソレノイド１２はＯＦＦし、これによりアーム１３は下動した位置に停止している。
従って、アーム１３に連動するゲートレバー１４は、第一の紙幣搬送路４の終端を解放して第一の紙幣搬送路４と第二の紙幣搬送路５とを連通させるとともに、第三の紙幣搬送路６の上端を閉塞する位置に停止している。
【００４６】
このため、図１で示すように紙幣投入口２から紙幣Ｘが投入されると、紙幣Ｘは、図４で示すように第一の紙幣搬送路４に沿って案内された後、ゲートレバー１４に沿って第二の紙幣搬送路５へ案内される。
【００４７】
また、入口センサ１０が紙幣Ｘの投入を検知すると、図４で示すように紙幣搬送手段２１のモータ２７が正転駆動し、これにより紙幣搬送ベルト２２が駆動プーリ２５を介し時計方向に回転する。
【００４８】
そのため紙幣Ｘは、図４で示すように紙幣搬送ベルト２２の搬送力によって第二の紙幣搬送路５に沿ってその下流へ搬送される。
【００４９】
また、入口センサ１０により紙幣Ｘの投入が検出されると、第二の紙幣搬送路５に配設されたシャッター手段３１のソレノイド３３は、図５で示すようにＯＮする。
【００５０】
シャッター手段３１のソレノイド３３がＯＮすると、第二の紙幣搬送路５を閉塞していたシャッターレバー３２の先端（図４）は、第二の紙幣搬送路５から退避して該第二の紙幣搬送路５を拡開し、紙幣Ｘは図５で示すようにシャッターレバー３２を通過する。
【００５１】
また、このシャッターレバー３２を通過した紙幣Ｘの先端が、識別センサ３５を通過すると、当該識別センサ３５によって、紙幣Ｘの真偽、および金種が判断される。
ここで、紙幣Ｘが識別センサ３５により偽券であると判断されると、紙幣搬送手段２１のモータ２７が逆転駆動し、これにより紙幣搬送ベルト２２が駆動プーリ２５を介し反時計方向に回転するので、偽券である紙幣Ｘは紙幣搬送ベルト２２の搬送力により第二の紙幣搬送路５の上流へ向け搬送され、その後ゲートレバー１４により第一の紙幣搬送路４へ案内され、そして紙幣投入口２から返却される。
【００５２】
一方、紙幣Ｘが識別センサ３５により真券の千円札Ａまたは真券の二千円札Ｂと見なされた場合には、紙幣搬送手段２１のモータ２７の正転駆動が維持され、これにより該千円札Ａ、または二千円札Ｂは、さらに第二の紙幣搬送路５の下流へ搬送される。
そして図６で示すように、千円札Ａの後端、または二千円札Ｂの後端が識別センサ３５を通過すると、モータ２７の正転駆動が停止し、これにより該千円札Ａまたは二千円札Ｂを第二の紙幣搬送路５内に一時保留（エスクロ）する、いわゆる一時エスクロ状態に移行する。
なお、通過紙幣の後端がセンサ３５を通過すると、シャッター手段３１のソレノイド３３がＯＦＦし、これによりシャッターレバー３２の先端は図６で示すように第二の紙幣搬送路５に突出し、第二の紙幣搬送路５を閉塞して紙幣の連続投入あるいは紙幣の抜き取りを防止する。
【００５３】
また、千円札Ａまたは二千円札Ｂは、それぞれ幅方向の両端部が、紙幣案内部材４１の各ガイド溝４１ａ内に嵌挿した状態で、第二の搬送路５の終端にエスクロされている。
【００５４】
一方、この紙幣の一時エスクロ状態中に自動販売機の商品購入ボタンがおされると、図示せぬ制御手段は正常な取引きが行われたと判断し、自動販売機から商品を排出するとともに、第二の紙幣搬送路５内に一時エスクロしていた千円札Ａまたは二千円札Ｂをスタッカ５５内に収容する収金動作に移行する。
【００５５】
この収金動作は、千円札Ａを収金する場合と二千円札Ｂを収金する場合とではその動作が異なる。
【００５６】
これをまず、千円札Ａを収金する場合の収金動作について説明する。
【００５７】
上述の識別センサ３５により投入紙幣が千円札Ａであると判別された場合は、次に、図示せぬ前記予備紙幣検出センサによって予備紙幣収容部７１内に千円札Ａが収容されているか否かが判断され、収容されていないと判断された場合には、エスクロした千円札Ａを予備紙幣収容部７１へ退避させる動作を行う。
【００５８】
すなわち、図６の通路切り替え手段１１のソレノイド１２をＯＮする。
【００５９】
すると図７で示すように、アーム１３およびゲートレバー１４の動作により、第一の紙幣搬送路４の終端が閉塞して、第三の紙幣搬送路６の上端が解放され第二の紙幣搬送路５が該第三の紙幣搬送路６と連通する。
【００６０】
次に、図７で示すように釣り札搬送手段６１のモータ６２を駆動（逆転駆動）して釣り札搬送ローラ６２を時計方向に回転させる。
そして、シャッター手段３１のシャッターソレノイド３３を、図７で示すようにＯＮして該シャッターレバー３２の先端を第二の紙幣搬送路５から退避させ、これにより第二の紙幣搬送路５を拡開するとともに、紙幣搬送手段２１のモータ２７を逆転駆動し、これにより紙幣搬送ベルト２２を駆動プーリ２５を介して反時計方向に回転させる。
【００６１】
すると、エスクロしていた千円札Ａは、図７で示すように紙幣搬送ベルト２２の紙幣搬送力によって第二の紙幣搬送路５の上流へ向け搬送され、該千円札Ａはシャッターレバー３２を通過した後、さらに第二の紙幣搬送路５の上流へ搬送され、その後ゲートレバー１４に沿って第三の紙幣搬送路６に案内される。
そして第三の紙幣搬送路６の上流に案内された千円札Ａは、釣り札搬送ローラ６２の搬送力によって第三の紙幣搬送路６の終端に位置する予備紙幣収容部７１に搬送され、ついには図８で示すように予備紙幣収容部７１に収容される。
なお、予備紙幣収容部７１に退避収容された千円札Ａの後端（上端）は、釣り札搬送ローラ６２とローラ６５とに把持された状態で、予備紙幣収容部７１内に収容される。
【００６２】
このように千円札Ａが予備紙幣収容部７１に収容されたことが前記予備紙幣検出センサによって検出されると、図８で示すように紙幣搬送手段２１のモータ２７の逆転駆動と、釣り札搬送手段６１のモータ６２の駆動（逆転駆動）を停止させる。
【００６３】
また、通路切り替え手段１１のソレノイド１２をＯＦＦして、アーム１３よびゲートレバー１４を動作させ、これにより第三の紙幣搬送路６の上端を閉塞するとともに、第一の紙幣搬送路４の終端を解放して該第一の紙幣搬送路４を第二の紙幣搬送路５に連通させる初期位置に復帰さる。
【００６４】
また、シャッター手段３１のシャッターソレノイド３３をＯＦＦしてシャッターレバー３２の先端を第二の紙幣搬送路５に突出させ、これにより第二の紙幣搬送路５を閉塞する。
【００６５】
一方、図６と同様に第二の紙幣搬送路５内に千円札Ａを一時エスクロしている状態において、図９で示すように図示せぬ記予備紙幣検出センサにより予備紙幣収容部７１内に千円札Ａが収容されていることが検出された場合には、該エスクロした千円札Ａを、スタッカ５５内へ収容する動作を行う。
【００６６】
すなわち、図９で示すように停止している紙幣搬送手段２１のモータ２７を、図１０で示すように予め定めていた所定パルス分だけ正転駆動して、紙幣搬送ベルト２２を時計方向へ回転させ、これにより千円札Ａを第二の紙幣搬送路５の下流へ案内する。
すると、千円札Ａは、図１１で示すようにその両端に位置する紙幣案内部材４１のガイド溝４１ａ内に嵌挿して第二の紙幣搬送路５の下流に案内され、該千円札Ａの後端が可及的に一定した位置で停止する。
ここで紙幣移動手段５１のカム機構５３を介しリンク機構５４を駆動すると、押圧板５２が図面の左右へ平行移動し、これにより、千円札Ａはガイド溝４１ａから離脱し、図１２で示すように千円札Ａはスタッカ５５に収容される。
なお、紙幣移動手段５１は千円札Ａをスタッカ５５に収容した後、図１２で示す初期位置に復帰する。
【００６７】
次に、一時エスクロした紙幣が二千円札Ｂである場合の収金動作について説明する。
【００６８】
図６および図９で示すように一時エスクロした投入紙幣が識別センサ３５により二千円札Ｂであると判断され、かつ自動販売機内に並設された硬貨処理装置内に釣り銭として十分な硬貨が用意されている場合は、図６で示すように予備紙幣収容部７１内に千円札Ａが収容されていない場合、あるいは図９で示すように予備紙幣収容部７１内に千円札Ａが収容されている場合の、いずれの場合であっても、該エスクロした二千円札Ｂをスタッカ５５に収容させる動作を行う。
【００６９】
この動作を図９で示すように予備紙幣収容部７１に千円札Ａがある場合を代表して説明すると、図９の停止している紙幣搬送手段２１のモータ３７を図１０で示すように予め定めていた所定パルス分だけ正転回転させて紙幣搬送ベルト２２を時計方向へ回転させ、これにより二千円札Ｂをさらに下流へ案内する。
すると、二千円札Ｂは、図１１で示すように、その両端に位置する紙幣案内部材４１のガイド溝４１ａに沿って第二紙の幣搬送路５の下流に案内された後、該二千円札Ｂの後端が可及的に一定した位置で停止するので、ここで紙幣移動手段５１のカム機構５３を介しリンク機構５４を駆動すると、押圧板５２が図面右方向へ移動するとともに、該押圧板５２が二千円札Ｂの幅方向略中央を押圧するので、二千円札Ｂの幅方向両端はガイド溝４１ａから離脱し、これにより図１２で示すようにスタッカ５５に収容される。
【００７０】
なお、紙幣移動手段５１は二千円札Ｂをスタッカ５５に収容した後、図１２で示す初期位置に復帰する。
【００７１】
なお、図６で示すように予備紙幣収容部７１に千円札Ａがない場合も、予備紙幣収容部７１に千円札Ａがある場合（図９）と同様の動作により、一時エスクロされた二千円札Ｂはスタッカ５５へ収容される。
【００７２】
なお、上述した収金動作によってスタッカ５５内に収容された千円札Ａまたは二千円札Ｂは、図１２で示すように押圧板を付勢するスプリング５８を介し、第二の紙幣搬送路５側に常時付勢されるので、このスタッカ５５内には、図１３で示すように、複数枚の二千円札Ｂまたは千円札Ａが積載収容される。
【００７３】
また、スタッカ５５内に収容された二千円札Ｂや千円札Ａの各後端（上端）は、紙幣逆戻り防止レバー５７に係合して第二の紙幣搬送路５内に突出しないから、次に搬送される二千円札Ｂや千円札Ａの収容動作が妨害されて紙幣つまりを生じさせる虞もない。
【００７４】
一方、この紙幣処理装置１では、図６および図９で示すように千円札Ａまたは二千円札Ｂを一時エスクロした状態で自動販売機の返却ボタンが押されると、シャッター手段３１のシャッターソレノイド３３をＯＮしてシャッターレバー３２の先端を第二の紙幣搬送路から退避させ、これにより第二の紙幣搬送路５を拡開するとともに、紙幣搬送手段２１のモータ２７を逆転駆動して紙幣搬送ベルト２２を反時計方向に回転させる。すると、一時エスクロされた千円札Ａまたは二千円札Ｂは、第二の紙幣搬送路５の上流へ向け搬送された後、ゲートレバー１４により第一の紙幣搬送路４に案内され、紙幣挿入口２から返却される。
【００７５】
また、この紙幣処理装置１では、上述したように、一時エスクロ状態中に自動販売機の商品購入ボタンが押されると、図示せぬ制御手段は正常な取引きが行われたと判断して、自動販売機から商品を排出するとともに、紙幣搬送路内に一時保留（エスクロ）していた紙幣を収金する収金動作に移行するが、紙幣投入口２から投入された紙幣の金額が取引金額より多い場合には、その収金動作のほか、釣り銭を払い出す動作をする。
【００７６】
なお、釣り銭がある場合は、従来と同様に自動販売機内に並設された硬貨処理装置から硬貨も払い出すが、この紙幣処理装置１では、高額の二千円札Ｂが投入された場合には釣り銭額が千円以上の場合もあるので、その場合には、釣り銭として、予備紙幣収容部７１に収容した一枚の千円札Ａを用いて釣り銭を払い出し、この千円を引いた残りの釣り銭額に等しい額の硬貨を並設された前記硬貨処理装置から払い出す。
【００７７】
この千円札Ａの払い出し動作は、投入された二千円札Ｂが図１２で示すように第スタッカ５５内に収容された後から開始する。
【００７８】
すなわち、図１２で示すように、紙幣移動手段５１が二千円札Ｂをスタッカ５５に収容し、その後、初期位置に復帰したことを、図示せぬセンサにより検出すると、図１４で示すように、通路切り替え手段１１のソレノイド１２がＯＮしてアーム１３およびゲートレバー１４を動作させ、これにより第一の紙幣搬送路４の終端を閉塞するとともに、第三の紙幣搬送路６の上端を解放して、該第三の紙幣搬送路６を第二の紙幣搬送路５に連通させる。
次に、釣り札搬送手段６１のモータ６４を正転駆動して、釣り札搬送ローラ６２を反時計方向に回動させる。同時に紙幣搬送手段２１のモータ２７を正転駆動して紙幣搬送ベルト２２を時計方向に回転させるとともに、シャッターソレノイド３３をＯＮしてシャッターレバー３２を第二の紙幣搬送路５から退避させ、第二の紙幣搬送路５を拡開する。
【００７９】
すると、千円札Ａは図１４で示すように、釣り札ローラ６２の搬送力によって第三の紙幣搬送路６の上流へ向け搬送された後、ゲートレバー１４によって第二の紙幣搬送路５へ搬送される。
【００８０】
すると、千円札Ａは紙幣搬送手段２１の紙幣搬送ベルト２２の搬送力によって第二の紙幣搬送路５の下流へ向け案内される。
【００８１】
次に、第二の紙幣搬送路５の下流へ向け搬送されている千円札Ａの先端が、図１５で示すようにセンサ３６を通過し、これにより該センサ３６がＯＮすると、該ＯＮ信号の入力から所定パルス分だけ、紙幣搬送手段２１のモータ２７を正転駆動させた後、その駆動を停止して、紙幣搬送ベルト２２の回転を停止させる。
その際、千円札Ａの後端は既にゲートレバー１４を通過しているので、次に、通路切り替え手段１１のソレノイド１２をＯＦＦしてアーム１３およびゲートレバー１４を動作させ、これにより第三の紙幣搬送路６の上端を閉塞するとともに、第一の紙幣搬送路４の終端を拡開して第二の紙幣搬送路５を第一の紙幣搬送路４に連通させ、同時に釣り札搬送手段６１のモータ６４の正転駆動を停止して、釣り札搬送ローラ６２の回転を停止させる。
【００８２】
次に、紙幣搬送手段２１のモータ２７を逆転駆動すると、紙幣搬送ベルト２２が反時計方向に回転するので、千円札Ａは図１６で示すように紙幣搬送ベルト２２により第二の紙幣搬送路５の上流へ搬送され、その後ゲートレバー１４によって第一の紙幣搬送路３に案内され、紙幣投入口２から払い出される。
なお千円札Ａを払い出した後は、シャッター手段３１のソレノイド３３をＯＦＦしてシャッターレバー３２の先端を第二の紙幣搬送路５に突出させ、これにより第二の紙幣搬送路５を閉塞する初期状態に復帰させる。
【００８３】
また、紙幣搬送手段２１のモータ２７の逆転駆動を停止して紙幣搬送ベルト２２の回転を停止させる。
【００８４】
なお、この発明の紙幣処理装置１を配設した自動販売機では、投入紙幣が千円札Ａ一枚である場合は、その釣り銭額は千円未満であるから、並設された硬貨処理装置から硬貨のみで釣り銭を払い出すこともいうまでもない。
【００８５】
このようにこの発明の紙幣処理装置１では、低額紙幣である千円札Ａを収容する予備紙幣収容部７１を配設するとともに、紙幣投入口２から投入され、一時エスクロした千円札Ａを、予備紙幣収容部７１へ予め退避させ、釣り銭として千円札Ａを払い出す際には、予備紙幣収容部７１の千円札Ａを紙幣投入口２へ払い出すようにしたから、二千円札Ｂを投入して釣り銭として千円以上払い出す場合は、並設された硬貨処理装置から払出す釣り銭用の硬貨の払い出し枚数を可及的に少なくすることができる。
【００８６】
例えば、二千円札Ｂを投入し釣り銭として１９００円を払い出す場合には、千円札１枚と１００円硬貨４枚と硬貨５００円硬貨１枚を払い出すことになり、従来のように硬貨５００円硬貨３枚と１００円硬貨４枚を払い出していた場合に比べ、硬貨の払い出し枚数（ここでは５００円硬貨２枚分）を可及的に少なくすることができる。
したがって、二千円札Ｂが紙幣投入口２に頻繁に投入された場合であっても、予め予備紙幣収容部７１に千円札Ａが一枚退避されていれれば、釣り銭である硬貨の払い出し枚数が多くならず、これにより、硬貨処理装置内に収容された硬貨が短期間で不足する虞を可及的に防止できる。
【００８７】
なお、このように釣り銭用の硬貨不足を解消できるという作用効果は、特に、収容枚数の少ない高額硬貨である５００円硬貨を釣り銭として払い出す場合に有効である。
またこのように釣り銭用の硬貨の不足を防止できるので、従来のように釣り銭不足によってその後の紙幣の受入れを中止せざるを得ないということはなく、そのため紙幣受入れ中止に因る販売チャンスの減少を可及的に阻止できる。
【００８８】
またこの紙幣処理装置では、自動販売機等の機器側で高額紙幣の受入れを制限（禁止）することなく、釣り銭用の硬貨の不足を防止できるので、紙幣処理装置１において二種類の紙幣を実質的に有効に処理でき、従来のように自動販売機等の機器の利用者が二千円札Ｂのみを所持している場合に、自動販売機等の機器側の二千円札Ｂの受入れ制限（禁止）により二千円札Ｂを投入することができず取引きを断念せざるを得ないという事態も生じず、これにより販売チャンスが拡がるとともに、二千円札Ｂの流通を促進することもできる。
【００８９】
また、この紙幣処理装置１では、紙幣投入口から投入された千円札をスタッカに収容することなく第二の紙幣搬送路５の途中でエスクロした状態から予備紙幣収容部７１に退避させ、釣り銭として千円札を使用する場合はこの予備紙幣収容部７１から千円札を取り出して紙幣投入口２へ払い出すようにしているから、スタッカ内に一旦千円札を収容し、釣り銭として千円札を使用する場合に、再び千円札をスタッカ内から取り出し第二の紙幣搬送路２に案内させて紙幣投入口２へ払い出すようにした従来の紙幣処理装置に比べ、該紙幣をスタッカ５５から第二の紙幣搬送路６へ取り出す手段が不要な分、紙幣払い出し構造が小型で簡易となり、これにより低コスト化を図ることができる。
【００９０】
また、この紙幣処理装置１では、紙幣投入口２から投入され一時エスクロした千円札Ａを予備紙幣収容部７１へ退避させ、釣り銭として千円札Ａを払い出す際には、予備紙幣収容部７１に予め退避させた千円札Ａを紙幣投入口２へ払い出すようにしたから、千円札２枚の連続投入を許容し、その際の釣り札紙幣として予備紙幣収容部７１内の千円札Ａを使用することもできる。
【００９１】
また、この予備紙幣収容部７１内の千円札Ａは、取引き前に自動販売機の返却ボタンが押された際の返却紙幣としても使用することができ、これにより従来の一時エスクロ紙幣の返却とあわせ合計千円札２枚を紙幣投入口２から払い出すことがもきる。
【００９２】
すなわち、この紙幣処理装置によると、千円札２枚を処理できる紙幣処理装置を提供することができる。
【００９３】
なお、予備紙幣収容部７１内に千円札Ａがある場合に千円札２枚が連続投入された場合には、投入された千円札Ａのうち、最初に投入される千円札Ａは一時エスクロさせることなくスタッカ５５に収容させることとなる。
【００９４】
なお、上記実施例では、低額紙幣は千円札Ａであり、高額紙幣は二千円札Ｂであることとしたが、本発明の紙幣処理装置１では、低額紙幣、高額紙幣が、それぞれ千円札Ａ、二千円札Ｂでなくてもよいことはいうまでもない。
【００９５】
なお、上記実施例では千円札Ａが予備紙幣収容部７１に収容されていない場合、即ち予備紙幣収容部７１に払い出し可能な千円札Ａが無くなった場合は、二千円札Ｂの受入れをできないようにする設定も可能である。
【００９６】
【発明の効果】
以上説明したように、本願発明の紙幣処理装置によると、低額紙幣を収容する予備紙幣収容部を配設し、紙幣投入口から投入され、一時エスクロした低額紙幣を、予備紙幣収容部へ退避させ、釣り銭として低額紙幣を払い出す際には、予備紙幣収容部に予め退避させた低額紙幣を紙幣投入口へ払い出すようにしたので、釣り銭として紙幣を簡易的に払い出すことができ、これにより釣り銭用の硬貨の払出し枚数を可及的に少なくして、釣り銭用の硬貨が短期間で不足することを可及的に防止できる。したがって、釣り銭不足によってその後紙幣の受入れを中止せざるを得ないという事態は生じず、これによる販売チャンスの減少を可及的に阻止できる。
【００９７】
またこの紙幣処理装置では、自動販売機等の機器側で高額紙幣の受入れの制限（禁止）することなく釣り銭用の硬貨の不足を防止できるから、紙幣処理装置において二種類の紙幣を実質的に有効に処理でき、また従来のように自動販売機等の機器の利用者が二千円札のみを所持している場合に、自動販売機等の機器側の二千円札の受入れ制限（禁止）により二千円札を投入することができず取引きを断念せざるを得ないという事態も生じず、そのため販売チャンスが拡がるとともに、二千円札の流通も促進される。
【００９８】
すなわち、この発明によると、釣り銭となる紙幣を簡易的に払い出して販売促進を図る紙幣処理装置を提供することができる。
【００９９】
また装置本体の正面を覆うフロントパネル内、即ち従来デッドスペースとして使用されないフロントパネル内に、予備紙幣収容部、釣り札搬送手段、および通路切り替え手段を配設するようにしたから、その全体形状を大きくすることなくコンパクトな紙幣払出し機能を有する紙幣処理装置を提供することができる。
【図面の簡単な説明】
【図１】図１はこの発明に係わる紙幣処理装置の概念断面図。
【図２】図２は、図１の要部概念拡大図。
【図３】図３は、図１の紙幣処理装置の要部概念拡大断面図
【図４】図４は、図１の紙幣処理装置の作用を示す概念断面図。
【図５】図５は、図１の紙幣処理装置の作用を示す概念断面図。
【図６】図６は、図１の紙幣処理装置の作用を示す概念断面図。
【図７】図７は、図１の紙幣処理装置の作用を示す概念断面図。
【図８】図８は、図１の紙幣処理装置の作用を示す概念断面図。
【図９】図９は、図１の紙幣処理装置の作用を示す概念断面図。
【図１０】図１０は、図１の紙幣処理装置の作用を示す概念断面図。
【図１１】図１１は、図１の紙幣処理装置の作用を示す概念断面図。
【図１２】図１２は、図１の紙幣処理装置の作用を示す概念断面図。
【図１３】図１３は、図１の紙幣処理装置の作用を示す概念断面図。
【図１４】図１４は、図１の紙幣処理装置の作用を示す概念断面図。
【図１５】図１５は、図１の紙幣処理装置の作用を示す概念断面図。
【図１６】図１６は、図１の紙幣処理装置の作用を示す概念断面図。
【符号の説明】
１…紙幣処理装置
１ａ…装置本体
１ｂ…フロントパネル
２…紙幣投入口
４、５、６…紙幣搬送路
１１…通路切り替え手段
１２…ソレノイド
１３…アーム
１４…ゲートレバー
２１…紙幣搬送手段
３５…紙幣識別手段
５５…スタッカ
６１…釣り札搬送手段
６２…釣り札搬送ローラ
６５…従動ローラ
６４…モータ
７１…予備紙幣収容部
Ａ…低額紙幣（千円札）
Ｂ…高額紙幣（二千円札）
【図１】
0004753271.tif 000002
【図２】
0004753271.tif 000003
【図３】
0004753271.tif 000004
【図４】
0004753271.tif 000005
【図５】
0004753271.tif 000006
【図６】
0004753271.tif 000007
【図７】
0004753271.tif 000008
【図８】
0004753271.tif 000009
【図９】
0004753271.tif 000010
【図１０】
0004753271.tif 000011
【図１１】
0004753271.tif 000012
【図１２】
0004753271.tif 000013
【図１３】
0004753271.tif 000014
【図１４】
0004753271.tif 000015
【図１５】
0004753271.tif 000016
【図１６】
0004753271.tif 000017